(57)【要約】      （修正有）【課題】従来、暗い場所で鞄などの携帯用収納具内部の収納物の識別が困難であると同時に、取り出した収納物を外部で使用することが困難であった。そこで、この内部および外部で収納物の識別が同時に容易に出来るような照明装置をもつ携帯用収納具を得ることが目的である。【解決手段】鞄などの携帯用収納具の内部に光源３を取り付け、内部を照射できるようにした。また光源２を携帯用収納具の外側（外皮）８の一部にとりつける、もしくは携帯用収納具の外側（外皮）に開口部をつくり内部より外部を照射できるようにした光源をとりつけ外部を照射できるようにした。さらに、この二つの光源を同時に点灯できる回路とスイッチ４を取り付けた。以上により暗い場所で、鞄などの携帯用収納具の内部および外部が同時に照明されるので、内部の収納物を容易に識別出来、同時に外部において取り出した収納物を容易に使用することができるようになった。【選択図】      図２
2004290626.tif 000002
【特許請求の範囲】
【請求項１】
鞄、アタッシュケース、サイフ、袋物バッグ、ハンドバッグ、携帯電話用収納具などの携帯用収納具の外側（外皮）に取り付け外部を照射する光源と内部に取り付け内部を照射する光源が同時に点灯する照明装置をもつ鞄、アタッッシュケース、サイフ、袋物バッグ、ハンドバッグ、携帯電話用収納具などの携帯用収納具。
【請求項２】
鞄、アタッシュケース、サイフ、袋物バッグ、ハンドバッグ、携帯電話用収納具などの携帯用収納具の外側（外皮）に開口部をあけ内部より外部を照射できるようにしたＬＥＤ、電球などの光源と携帯用収納具の内部にとりつけ内部を照射するＬＥＤ、電球などの光源が同時に点灯する照明装置をもつ鞄、アタッッシュケース、サイフ、袋物バッグ、ハンドバッグ、携帯電話用収納具などの携帯用収納具。
【請求項３】
【請求項１】【請求項２】の携帯用収納具において、外部を照射する光源と内部を照射する光源が同時に点灯するとともに別々に点灯する回路のある照明装置をもつ携帯用収納具。
【請求項４】
【請求項１】【請求項２】の携帯用収納具において照明装置の取り外しが可能な鞄、アタッシュケースサイフ、袋物バッグ、ハンドバッグ、携帯電話用収納具などの携帯用収納具。
【発明の詳細な説明】
【０００１】
【発明の属する技術分野】本発明は、暗い場所において鞄、アタッシュケース、サイフ、袋物バッグ、ハンドバッグ、携帯電話用収納具などの携帯用収納具内部において収納物の識別すると同時に、取り出した収納物を外部で使用する時の利便性を高めた照明のシステムに関するものである。
【０００２】
【従来の技術】
従来、鞄、アタッシュケース、サイフ、袋物バッグ、ハンドバッグ、携帯電話用収納具などの携帯用収納具において、暗い場所において、内部の収納物を識別することが困難である場合、内部を照明する方法としては「携帯バッグ・カバン夜間照明器」（実願・昭６３−１６３９０３９）、「照明具付カバン」（実願・昭６２−８４１５７）、「アタッシュケース」（実願・昭６０−１４７１４５）、「財布、かばん等袋物の内部照明装置」（実願・平７−１３１６３）などの出願がなされている。しかし、これらは収納具内部において収納物の識別性を高めるが、内部から収納物を取り出し使用する場合への考慮はなされず、取り出した収納物の使用には困難がともなった。また、「ライト付きカバン」（実願・平４−４３６４）、「避難具兼用かばん」（実願・昭６１−１３２１９７）では、外部を照明することを考慮しているが、内部の収納物への照明は考慮されていないので、収納物の識別と取り出しには困難がともなった。
【０００３】
【発明が解決しようとする課題】
本発明は、暗い場所において、鞄、アタッシュケース、サイフ、袋物バッグ、ハンドバッグ、携帯電話用収納具などの携帯用収納具内部の収納物の識別が容易であると同時に、取り出した収納物を外部で使用することが容易である照明装置をもつことを課題として研究をすすめた。
【０００４】
【課題を解決するための手段】
上記の問題を解決する手段として、鞄、アタッシュケース、サイフ、袋物バッグ、ハンドバッグ、携帯電話用収納具などの携帯用収納具の内部に光源を取り付け、内部を照射できるようにした。また同時に光源を携帯用収納具の外側（外皮）の一部にとりつける、もしくは携帯用収納具の外側（外皮）に開口部をつくり内部より外部を照射できるようにした光源をとりつけ外部を照射できるようにした。さらに、この内部を照射する光源と外部を照射する光源を同時に点灯できる回路とスイッチをとりつけた。
【０００５】
【発明の実施の形態】
図１は本発明を実施した携帯用収納具の斜視図である。図２は、携帯用収納具に照明装置を取り付けた部分の断面図である。１は携帯用収納具本体である。８は携帯用収納具の外側（外皮）である。２は外部を照射するＬＥＤなどの光源である。この光源は図２のように８の外部に取り付け、配線７のみを８を貫通させている。また図５は８に開口部をつくり外部に発光部を露出させ外部を照射する方法である。３は内部を照射するＬＥＤなどの光源である。５は電池である。４のスイッチは、ＯＮ・ＯＦＦをするノブ部分を８に開口部をつくり外部に露出させている。図３は、照明装置の電気回路であり、４のスイッチを入れると、外部を照射する光源２と内部を照射する光源３が同時に点灯する構造になっている。スイッチの構造と回路の変更により図４のように外部を照射する光源２と内部を照射する光源３が同時に点灯するとともに別々に点灯する方法を採用することができる。６は光源、スイッチ、電池およびそれらをつなぐ配線をつける基板である。この基板は、８の内側に縫いつけ、接着などの方法で固着させる。また光源、スイッチ、電池は携帯用収納具の構造によって、それぞれ別の離れた位置に配置することも可能である。さらに照明装置を面状ファスナー、ループ、ポケットなどにより、一時的に固定できるようにして、照明装置を取り外し可能にすることもできる。
【０００６】
【発明の効果】
従来、暗い場所において、鞄、アタッシュケース、サイフ、袋物バッグ、ハンドバッグ、携帯電話用収納具などの携帯用収納具内部の収納物の識別が困難であると同時に、取り出した収納物を外部で使用することが困難であった。
上記の問題を解決する手段として、鞄、アタッシュケース、サイフ、袋物バッグ、ハンドバッグ、携帯電話用収納具などの携帯用収納具の内部に光源を取り付け、内部を照射できるようにした。また同時に光源を携帯用収納具の外側（外皮）の一部にとりつける、もしくは携帯用収納具の外側（外皮）に開口部をつくり内部より外部を照射できるようにした光源を取り付け外部を照射できるようにした。さらに、この二つの光源を同時に点灯できる回路とスイッチを取り付けた。以上により暗い場所において、鞄、アタッシュケース、サイフ、袋物バッグ、ハンドバッグ、携帯電話用収納具などの携帯用収納具の内部および外部が同時に照明されるので、内部の収納物を容易に識別出来、同時に外部において取り出した収納物を容易に使用することができるようになった。
【図面の簡単な説明】
【図１】本発明の実施例を示す斜視図
【図２】本発明の照明装置などの断面図
【図３】本発明の照明装置の電気回路図
【図４】光源が別々にも点灯できる本発明の照明装置の電気回路図
【図５】光源を別の取り付け方にした本発明の照明装置などの断面図。
【符号の説明】
１：携帯用収納具本体
２：外部を照射する光源
３：内部を照射する光源
４：スイッチ部
５：電池
６：基板
７：外部を照射する光源からの電気配線
８：携帯用収納具の外側（外皮）
【図１】
2004290626.tif 000003
【図２】
2004290626.tif 000004
【図３】
2004290626.tif 000005
【図４】
2004290626.tif 000006
【図５】
2004290626.tif 000007